(57)【要約】【課題】たった一体のリング状巻線型インダクタにより広い周波数帯域において高い減衰特性を実現し得る極めて実用性に秀れた画期的なリング状巻線型インダクタを提供する。【解決手段】トロイダルコア１の外周部に導線２を巻線して成るリング状巻線型インダクタであって、前記トロイダルコア１の外周部に連続的に巻線した前記導線２の巻線径が一定ではなく巻線箇所によって異なる巻線径となるように、このトロイダルコア１の外周部の断面形状を一定ではなく箇所によって変化した形状に設定する。【選択図】図１
2008277566.tif 000002
【特許請求の範囲】
【請求項１】
トロイダルコアの外周部に導線を巻線して成るリング状巻線型インダクタであって、前記トロイダルコアの外周部に連続的に巻線した前記導線の巻線径が一定ではなく巻線箇所によって異なる巻線径となるように、このトロイダルコアの外周部の断面形状を一定ではなく箇所によって変化した形状に設定したことを特徴とするリング状巻線型インダクタ。
【請求項２】
前記トロイダルコアの外周面に連続的に巻線した前記導線の巻線径が一定ではなくこのトロイダルコアの周方向に沿って徐々に漸増若しくは漸減するように、このトロイダルコアの外周面の断面形状を一定ではなくこのトロイダルコアの周方向に沿って外周面の断面形状の面積（断面積）が徐々に漸増若しくは漸減する形状に設定したことを特徴とする請求項１記載のリング状巻線型インダクタ。
【請求項３】
前記トロイダルコアは中央部にリング孔を有するリング状とすると共に、このトロイダルコアを側面視において肉厚が一定ではなく変化した形状とする，若しくは，平面視においてこのトロイダルコアのリング孔の内面部からトロイダルコアの外側周面部までの距離が一定ではなく変化した形状とすることで、このトロイダルコアの前記導線が巻線される外周部の断面形状を一定ではなく箇所によって変化した形状に設定したことを特徴とする請求項１，２のいずれか１項に記載のリング状巻線型インダクタ。
【請求項４】
前記トロイダルコアは、側面視において肉厚が最小となる箇所から最大となる箇所までその肉厚が急激に増減せず徐々に漸増する形状に設定したことを特徴とする請求項３記載のリング状巻線型インダクタ。
【請求項５】
前記トロイダルコアは中央部にリング孔を有するリング状とすると共に、このトロイダルコアの中心位置に対してリング孔の孔中心位置が重合位置とせず位置ズレした偏心リング状にトロイダルコアの形状を設定して、このトロイダルコアの前記導線が巻線される外周部の断面形状を一定ではなく箇所によって変化した形状に設定したことを特徴とする請求項１〜４のいずれか１項に記載のリング状巻線型インダクタ。
【請求項６】
前記トロイダルコアは、外周部の断面形状の面積（断面積）が最小となる箇所に対して、外周部の断面形状の面積（断面積）が最大となる箇所の面積比が１．１倍〜５００倍となる形状に設定したことを特徴とする請求項１〜５のいずれか１項に記載のリング状巻線型インダクタ。
【請求項７】
前記トロイダルコアは、外周部の断面形状の面積（断面積）が最小となる箇所に対して、外周部の断面形状の面積（断面積）が最大となる箇所の面積比が１．５倍〜５００倍となる形状に設定したことを特徴とする請求項６記載のリング状巻線型インダクタ。
【請求項８】
前記トロイダルコアは、外側周面部及びこのトロイダルコアのリング孔の内面部の形状を円状若しくは少なくとも五角形以上の多角形状に設定し、このトロイダルコアの外周部の断面形状の面積（断面積）が最小となる箇所から最大となる箇所まで、このトロイダルコアの周方向に沿って外周部の断面形状の面積（断面積）が急激に増減せずに徐々に漸増する形状に設定したことを特徴とする請求項１〜７のいずれか１項に記載のリング状巻線型インダクタ。
【発明の詳細な説明】
【技術分野】
【０００１】
本発明は、例えばプリント配線板の回路配線などに実装されるリング状巻線型インダクタに関するものである。
【背景技術】
【０００２】
強磁性を有するリング状のトロイダルコアの外周部に連続的に導線を巻線して構成された、いわゆるトロイダルコイル（リングコイル）と呼ばれるリング状巻線型インダクタが従来から種々提案されている（例えば特許文献１，２）。
【０００３】
このリング状巻線型インダクタは、磁束の多くがリング状のトロイダルコア自身を通過する構造上、漏れ磁束が少なく、周囲の物体の影響を受けにくいなどの利点を有し、安定したインダクタンスを発揮できることから、特に高周波回路に好んで使用されている。
【０００４】
ところで、この従来のリング状巻線型インダクタ（以下、従来品）は、導線を連続的に巻線する前記トロイダルコアの外周部の断面形状が一定の形状に形成されている為、この外周部に連続的に巻線する前記導線の巻線径も一定の径となる構造である。
【０００５】
従って、従来品は、導線の巻線径が常に一定であるため、単一の共振周波数しか有しておらず、それ故、その共振周波数帯域においてはインピーダンスが良好に増大し高い減衰特性（インダクタ特性）が得られるものの、その共振周波数帯域を外れると、直ちにインピーダンスが低減し、それに伴い減衰特性が減衰してしまうという特性を有した。即ち、狭い周波数帯域にしか有効ではない（高い減衰特性を得られない）ため、広い周波数帯域において高い減衰特性を必要とする場合、共振周波数の異なる複数の従来品を一つの回路に複数実装する必要があり、それだけコストが高くつく上に、それだけ実装スペースも多く嵩張り回路装置自体の大型化の原因となるなど、種々の問題を有した。
【０００６】
【特許文献１】特開２００２−２１７０４６号公報
【特許文献１】特開２００５−１４２３１６号公報
【発明の開示】
【発明が解決しようとする課題】
【０００７】
本発明は、従来から提案されているこの種のリング状巻線型インダクタについての更なる研究開発を進め、一体のリング状巻線型インダクタで複数の共振周波数を有する構成を簡単な構造で実現し得、これにより、たった一体のリング状巻線型インダクタによって、広い周波数帯域において高い減衰特性を実現し得る極めて実用性に秀れた画期的なリング状巻線型インダクタを提供することを課題とする。
【課題を解決するための手段】
【０００８】
添付図面を参照して本発明の要旨を説明する。
【０００９】
トロイダルコア１の外周部に導線２を巻線して成るリング状巻線型インダクタであって、前記トロイダルコア１の外周部に連続的に巻線した前記導線２の巻線径が一定ではなく巻線箇所によって異なる巻線径となるように、このトロイダルコア１の外周部の断面形状を一定ではなく箇所によって変化した形状に設定したことを特徴とするリング状巻線型インダクタに係るものである。
【００１０】
また、前記トロイダルコア１の外周面に連続的に巻線した前記導線２の巻線径が一定ではなくこのトロイダルコア１の周方向に沿って徐々に漸増若しくは漸減するように、このトロイダルコア１の外周面の断面形状を一定ではなくこのトロイダルコア１の周方向に沿って外周面の断面形状の面積（断面積）が徐々に漸増若しくは漸減する形状に設定したことを特徴とする請求項１記載のリング状巻線型インダクタに係るものである。
【００１１】
また、前記トロイダルコア１は中央部にリング孔３を有するリング状とすると共に、このトロイダルコア１を側面視において肉厚が一定ではなく変化した形状とする，若しくは，平面視においてこのトロイダルコア１のリング孔３の内面部からトロイダルコア１の外側周面部までの距離が一定ではなく変化した形状とすることで、このトロイダルコア１の前記導線２が巻線される外周部の断面形状を一定ではなく箇所によって変化した形状に設定したことを特徴とする請求項１，２のいずれか１項に記載のリング状巻線型インダクタに係るものである。
【００１２】
また、前記トロイダルコア１は、側面視において肉厚が最小となる箇所から最大となる箇所までその肉厚が急激に増減せず徐々に漸増する形状に設定したことを特徴とする請求項３記載のリング状巻線型インダクタに係るものである。
【００１３】
また、前記トロイダルコア１は中央部にリング孔３を有するリング状とすると共に、このトロイダルコア１の中心位置に対してリング孔３の孔中心位置が重合位置とせず位置ズレした偏心リング状にトロイダルコア１の形状を設定して、このトロイダルコア１の前記導線２が巻線される外周部の断面形状を一定ではなく箇所によって変化した形状に設定したことを特徴とする請求項１〜４のいずれか１項に記載のリング状巻線型インダクタに係るものである。
【００１４】
また、前記トロイダルコア１は、外周部の断面形状の面積（断面積）が最小となる箇所に対して、外周部の断面形状の面積（断面積）が最大となる箇所の面積比が１．１倍〜５００倍となる形状に設定したことを特徴とする請求項１〜５のいずれか１項に記載のリング状巻線型インダクタに係るものである。
【００１５】
また、前記トロイダルコア１は、外周部の断面形状の面積（断面積）が最小となる箇所に対して、外周部の断面形状の面積（断面積）が最大となる箇所の面積比が１．５倍〜５００倍となる形状に設定したことを特徴とする請求項６記載のリング状巻線型インダクタに係るものである。
【００１６】
また、前記トロイダルコア１は、外側周面部及びこのトロイダルコア１のリング孔３の内面部の形状を円状若しくは少なくとも五角形以上の多角形状に設定し、このトロイダルコア１の外周部の断面形状の面積（断面積）が最小となる箇所から最大となる箇所まで、このトロイダルコア１の周方向に沿って外周部の断面形状の面積（断面積）が急激に増減せずに徐々に漸増する形状に設定したことを特徴とする請求項１〜７のいずれか１項に記載のリング状巻線型インダクタに係るものである。
【発明の効果】
【００１７】
本発明は上述のように構成したから、トロイダルコアの外周部に連続的に巻線した導線の巻線径が巻線箇所によって異り、これにより本発明品は一体で複数の異なる共振周波数を有することができ、この複数の異なる共振周波数により広い周波数帯域において秀れた（高い）減衰特性を発揮できる。
【００１８】
また、トロイダルコアの外周部が箇所により変化する形状となっており、単にこの外周部に連続的に導線を巻線することで導線の巻線径が一定ではなく異なり上記の秀れた減衰特性を有する構造を簡易に実現でき量産性やコスト性にも秀れる。
【００１９】
よって、単一の共振周波数しか有さない従来品を使用して広い周波数帯域において高い減衰特性を実現するには、一つの電子回路に共振周波数の異なる複数種類の従来品を実装しなければならなかったが、この点、本発明によればたった一体で広い周波数帯域における高い減衰特性が得られ、それだけ少ない部品点数で広い周波数帯域における高い減衰特性を実現でき、実装コストを抑えると共に実装スペースも少なく済み回路装置の小型化なども容易に図り得る。更に、本発明品自体も簡易構造で、あくまで従来品と略同様のコストで製造実現可能な量産性やコスト性に秀れた構造で、よって、本発明は実用性及び量産性に秀れた極めて画期的で商品価値の高いリング状巻線型インダクタとなる。
【発明を実施するための最良の形態】
【００２０】
好適と考える本発明の実施形態（発明をどのように実施するか）を、図面に基づいて本発明の作用を示して簡単に説明する。
【００２１】
本発明は、トロイダルコア１の外周部に導線２を巻線して成るリング状巻線型インダクタに関するものである。
【００２２】
本発明のトロイダルコア１は、前記導線２が連続的に巻線されるその外周部の断面形状が、一定ではなく箇所によって変化した形状に設定している。それ故、このトロイダルコア１の外周部に連続的に巻線した前記導線２の巻線径は一定ではなく、巻線箇所によって異なる巻線径となる。
【００２３】
即ち、従来品は導線２の巻線径が一定でありそれ故単一の共振周波数しか有していなかったところを、本発明品においては導線２の巻線径が巻線箇所によって異なる構成である為、一体で複数の共振周波数を保有でき、それだけ広い周波数帯域で高い減衰特性が得られることとなる。
【００２４】
しかも、単に外周部の断面形状を一定ではなく箇所によって変化した形状に設定されたトロイダルコア１に導線２を連続的に巻線して成る簡易な構成である為、導線２の巻線径が巻線箇所により異なり複数の共振周波数を有する秀れた構造を簡易に実現でき得ることとなる。
【００２５】
従って、これまで、広い周波数帯域において高い減衰特性を得るには、単一の共振周波数しか有さない従来品を複数種類実装しなければならなかったところを、本発明によれば、たった一体のリング状巻線型インダクタで広い周波数帯域における秀れた減衰特性を得ることができるから、それだけ実装数を減らし、低コストにして実装スペースも少なく済み回路装置の小型化なども容易に図り得、しかもこの秀れた減衰特性を有する構造を簡易な構成で実現でき量産性やコスト性にも秀れるなど、極めて画期的で実用性に秀れたものとなる。
【００２６】
尚、例えばトロイダルコア１の外周面に連続的に巻線した前記導線２の巻線径が一定ではなくこのトロイダルコア１の周方向に沿って徐々に漸増若しくは漸減するように、このトロイダルコア１の外周面の断面形状を一定ではなくこのトロイダルコア１の周方向に沿ってこの外周面の断面形状の面積，即ち断面積が徐々に漸増若しくは漸減する形状に設定した場合、トロイダルコア１の外周部の断面形状が急激に増減せず徐々に漸増若しくは漸減する形状とした為、それだけこのトロイダルコア１に導線２を巻線する作業を別段の困難性無く従来同様に行うことができる。
【００２７】
しかも、導線２の巻線径が徐々に漸増若しくは漸減することで、連続的に異なる複数の共振周波数を有することとなるから、所定の広い周波数帯域において連続的に高い減衰特性を発揮できる構造となり、例えば、或る特定の広い周波数帯域の全域で、特定値以上の高い減衰特性が得られるように設定することも簡易に実現可能となる。
【００２８】
また、トロイダルコア１の外周部の断面形状は、例えば、このトロイダルコア１を側面視において肉厚が一定ではなく変化した形状（図３参照）としたり、また例えば、平面視においてトロイダルコア１の中央部のリング孔３の内面部からこのトロイダルコア１の外側周面部までの距離が一定ではなく変化した形状（図１，図２参照）としたりすることで、トロイダルコア１の外周部の断面形状が箇所によって変化する形状を簡易に設計実現可能である。
【００２９】
特に、図１に図示したように、このトロイダルコア１の中心位置に対してリング孔３の孔中心位置が重合位置とせず位置ズレした偏心リング状にトロイダルコア１の形状を設定する場合、単にこのリング孔３の孔中心位置の偏心位置ズレ量を調整設計することで、トロイダルコア１の外周部の断面形状の面積（断面積）の変化量を容易に調整設計でき、この際後述の実施例のようにトロイダルコア１の側面視肉厚が一定であれば、このトロイダルコア１の中心位置に対するリング孔３の孔中心位置の偏心位置ズレ量の調整によりトロイダルコア１の表面積や容積，重量を変化させることなく一定に保持したまま、このトロイダルコア１の外周部の断面形状の面積（断面積）の変化量を調整設計することも可能となる。
【実施例】
【００３０】
本発明の具体的な実施例について図面に基づいて説明する。
【００３１】
本実施例は、トロイダルコア１の外周部に導線２を巻線して成るリング状巻線型インダクタであって、前記トロイダルコア１の外周部に連続的に巻線した前記導線２の巻線径が一定ではなく巻線箇所によって異なる巻線径となるように、このトロイダルコア１の外周部の断面形状を一定ではなく箇所によって変化した形状に設定したものである。
【００３２】
以下、本実施例を具体的に説明する。
【００３３】
トロイダルコア１は、強磁性を有する材質により構成したものであって、このトロイダルコア１の外周面に連続的に巻線した前記導線２の巻線径が一定ではなくこのトロイダルコア１の周方向に沿って徐々に漸増若しくは漸減するように、このトロイダルコア１の外周面の断面形状を一定ではなくこのトロイダルコア１の周方向に沿って外周面の断面形状の面積（断面積）が徐々に漸増若しくは漸減する形状に設定したものである。
【００３４】
尚、トロイダルコア１の外周面の「断面形状」なる記載は、このトロイダルコア１の外周面の所定箇所を、当該箇所に巻線された導線２の巻線方向に沿って切断した際の切断面の形状を意味するものである。また、トロイダルコア１の「周方向」なる記載は、トロイダルコア１の平面視における周回り方向を意味するものである。）。
【００３５】
従って、トロイダルコアの外周部の形状が急激に増減しておらず徐々に漸増若しくは漸減する形状の為、この外周部に導線２を連続的に巻線する作業を別段の困難性無く通常通り行うことができる。また、この外周部に巻線した導線２の巻線径は徐々に漸増若しくは漸減して変化するので、この巻線径の漸増，減変化に伴い、連続的に異なる複数の共振周波数を有することができ、よって特定の非常に広い周波数帯域の全域において秀れた（高い）減衰特性が得られる構造とすることも容易に実現可能である。
【００３６】
具体的には、図１に図示したように、円盤体の中央部に貫通状態に円形のリング孔３を有するリング状に形成している。即ち、平面視において外側周面部が円形で、且つリング孔３の内面部も円形の円環リング状としている。また更に、この円環リング状のトロイダルコア１の中心位置に対し、リング孔３の孔中心位置は重合位置とせずにズレた位置に設定して偏心リング状にこのトロイダルコア１の形状を設定している。
【００３７】
従って、このリング孔３の臨界孔中心位置の偏心位置ズレによって、トロイダルコア１は、平面視においてリング孔３の内面部からトロイダルコア１の外側周面部までの距離が一定ではなく変化した形状となり、これにより、このトロイダルコア１の外周部の断面形状が一定ではなくその断面形状の面積（断面積）が周方向に沿って徐々に漸増及び漸減するように設定している。
【００３８】
尚、本実施例では、このトロイダルコア１の側面視における肉厚（板厚）は一定に設定している。
【００３９】
ここで、一般的なトロイダルコアの形状は、側面視における肉厚（板厚）が一定の円盤体の中央部の中心位置に円形の貫通孔を形成して成るリング状であるが、これに対して、本実施例品のトロイダルコア１の形状は、側面視における肉厚が一定の円盤体の中央部に円形のリング孔３を形成するがそのリング孔３の孔中心位置はトロイダルコア１の中心位置に対して位置ズレした偏心リング状である。つまり、トロイダルコア１の中心位置に対してリング孔３の孔中心位置の偏心位置ズレ量をゼロとしたのが従来の一般的なトロイダルコア１の形状であり、このリング孔３の孔中心位置の偏心位置ズレ量を所定量設けたものが本実施例のトロイダルコア１の形状である。
【００４０】
従って、このトロイダルコア１の中央部のリング孔３の孔中心位置の偏心位置ズレ量を調整設定することで、トロイダルコア１の外周部の断面形状の面積の変化量や変化率の調整設定を容易に図れる。即ち、導線２の巻線径、ひいては共振周波数を決定するトロイダルコア１の外周部の断面形状の変化量や変化率を、単に設計時にリング孔３の孔中心位置の偏心位置ズレ量を調整設計するだけで簡単に調整設計でき、よって所望の前記変化量や変化率を有するトロイダルコア１の形状を簡易に設計・実現可能である。また、リング孔３の偏心位置ズレ量に関わり無く、トロイダルコア１の表面積や容積，質量は変化しないので、トロイダルコア１の外周部の断面形状の面積の変化量や変化率の調整設計時にこのトロイダルコア１の表面積や容積，質量の変化は一切考慮する必要は無く、この点においても取り扱いが容易で実用性が高い。
【００４１】
尚、このトロイダルコア１は、外周部の断面形状の面積（断面積）が最小となる箇所に対して、外周部の断面形状の面積（断面積）が最大となる箇所の面積比が１．１倍〜５００倍，望ましくは１．５倍〜５００倍となる形状に設定する。これにより、トロイダルコア１の外周部に連続的に巻線した導線２の巻線径を確実に変化させ、ひいては、異なる複数の共振周波数を保有し広い周波数帯域で高い減衰特性を発揮するとういう本実施例の上記秀れた特性を確実に発揮できることとなる。
【００４２】
また、図１に図示したように、本実施例のトロイダルコア１は、外側周面部及びリング孔３の内面部の形状を円状若しくは少なくとも五角形以上の多角形状に設定し、このトロイダルコア１の外周部の断面形状の面積、即ち断面積が最小となる箇所から最大となる箇所まで、このトロイダルコア１の周方向に沿って前記断面積が急激に増減せず、徐々に（連続的且つなだらかに）漸増する形状に設定している。即ち、例えばトロイダルコア１の外側周面部を三角形や四角形とし、その中央にリング孔３を三角形や四角形状に形成した構成とした場合、このトロイダルコア１の前記断面積が最小となる箇所から最大となる箇所に至る範囲に連続的に巻線された導線２の巻線径は増加と減少を繰り返す形状となり、この連続的に巻線された各導線２が有する共振周波数もその周波数域が増減することになる。この点、本実施例では、トロイダルコア１の外側周面部を円状に形成し、リング孔３も円状に形成している為、前記断面積が最小となる箇所から最大となる箇所に至る範囲に連続的に巻線された導線２の巻線径は、このトロイダルコア１の周方向に沿って急激に増加したり減少したりせず、徐々に漸増することとなる。それ故、この連続的に巻線された各導線２が有する共振周波数も、増えたり減ったりを繰り返さず連続的にその周波数域が推移することとなり、このように増えたり減ったりせず連続的に周波数域が推移する複数の共振周波数の集合により、広い周波数帯域で非常に秀れた減衰特性を発揮できることとなる。また、このように外周部の断面形状の面積が急激に増減せず連続的に（なだらかに）漸増する形状とした場合、この外周部に導線２を巻線する作業もやり易く生産性にも秀れる。また、本実施例のようにトロイダルコア１の外側周面部及びリング孔３の内面部の形状を円形とせずとも、例えば外側周面部及びリング孔３の内面部の形状を五角形以上の多角形状に形成して、外周部に巻線する導線２の巻線径が急激に増減を繰り返すことを阻止できる形状に設定することも可能である（この場合、より多角形化することで、巻線径の急激な増減を一層良好に阻止できる形状に設定可能である。）。
【００４３】
尚、本実施例においては、上述のようにトロイダルコア１の形状を設定しているが、これに限らず、例えば図２に図示した別例１のように、トロイダルコア１の中心位置に対して中央部のリング孔３の孔中心位置は重合位置に設定しているが、このリング孔３の形状を円形ではなく図示した楕円型や例えば星型などにすることで、平面視においてこのトロイダルコア１のリング孔３の内面部からトロイダルコア１の外側周面部までの距離が一定ではなく変化した形状に設定しても良い。また、例えば図３及び図４に図示した別例２のように、トロイダルコア１の中心位置に対して中央部のリング孔３の孔中心位置は重合位置に設定しているが、トロイダルコア１を側面視において肉厚（板厚）が一定ではなく変化した形状に設定しても良い。この図３及び図４に図示した別例２では、トロイダルコア１の肉厚が最小となる箇所から最大となる箇所まで、その肉厚が急激に増減するのではなく徐々に漸増する（特にこの図示した別例２では、一定率で肉厚が漸増する）形状とし、このトロイダルコア１の外周部に巻線する導線２の巻線径が急激に増減せず、連続的に変化する（前記肉厚が最小の箇所から最大の箇所から漸増する）形状となるように設定する。またこの際、例えば図５及び図６に図示した別例３のように、トロイダルコア１の肉厚を変化させて尚且つリング孔３の孔中心位置を偏心した位置ズレ状態に設定すれば、トロイダルコア１の外周部の断面形状の面積（断面積）の変化量，変化率を一層大きく設けることができる。その他にも、トロイダルコア１の外周部の断面形状が一定ではなく箇所によって変化した形状であれば、前述したものに限らず種々の形状のものを採用できる。
【００４４】
本実施例では、このトロイダルコア１の外周部に、このトロイダルコア１のリング孔３を通過するようにして導線２を連続的に巻線する。この巻線方法は、ノーマルモードでもコモンモードの何れの巻線方向を採用しても良い。
【００４５】
また、本実施例においては、このトロイダルコア１の周方向全周に連続的に導線２を巻線することとしているが、例えばこのトロイダルコア１の周方向半周など、一部にのみ導線２を巻線する構成としても良い。
【００４６】
ここで、コア直径１０ｍｍでコア中心位置と中央部のリング孔３の孔中心位置とが偏心位置ズレした偏心リング状のトロイダルコア１に、直径０．２ｍｍの導線２を３９回巻線して成るリング状巻線型インダクタ（ノーマルモード）を本実施例品とし、これをネットワークアナライザで減衰特性評価した結果を図９及び図１０に示す。比較品としては、本実施例品と同様にコア直径が１０ｍｍであるがコア中心位置とリング孔５の孔中心位置が偏心位置ズレしておらず重合状態の（偏心リング状ではない）通常の同心円環リング状のトロイダルコア６（図７（ａ），図８（ａ）参照）に、直径０．２ｍｍの導線２を３９回巻線して成る構成の通常のリング状巻線型インダクタ（ノーマルモード）を採用する。
【００４７】
スイーパ（掃引信号発振器）からレシーバ（受信装置）に掃引信号を発振しつつ、ネットワークアナライザ（高周波測定器）により減衰量（減衰特性）を評価する。この際、図７に図示したように、マイクロストリップライン４を配線した試験用回路基板に対してトロイダルコア１，６を縦に実装して評価試験を行った場合の結果を図９に示し、図８に図示したようにマイクロストリップライン４を配線した試験用回路基板に対してトロイダルコア１，６を横に実装して評価試験を行った場合の結果を図１０に示す。
【００４８】
図９から分かるように、トロイダルコア１，６を縦に実装して評価試験を行った場合、本実施例品は２０ＭＨｚ近辺から６０００ＭＨｚ近辺の広範囲に亘って減衰量−２０ｄＢ以上の秀れた減衰特性を発揮できるのに対し、比較品は２０ＭＨｚ近辺から減衰量−２０ｄＢ以上を発揮できるものの１０００〜２０００ＭＨｚの範囲で、その減衰量が略−１８ｄＢ近辺まで弱まってしまう。
【００４９】
また、図１０から分かるように、トロイダルコア１，６を横に実装して評価試験を行った場合、本実施例品は２０ＭＨｚ近辺から８０００ＭＨｚの広範囲に亘って減衰量−２０ｄＢ以上の秀れた減衰特性を発揮できるのに対し、比較品は１０００〜２０００ＭＨｚの範囲で、その減衰量が略−１８ｄＢまで弱まってしまう。このように、本実施例品は比較品に比して秀れた（高い）減衰特性を広範囲に亘って発揮でき得るものである。
【００５０】
以上、本実施例によれば、たった一体で非常に広範囲に亘って高い減衰特性が得られる秀れたリング状巻線型インダクタを簡易な構成により確実に実現でき、例えば高周波回路などに実装するインダクタとして極めて好適で画期的で実用性及び量産性に秀れたリング状巻線型インダクタとなる。
【００５１】
尚、本発明は、本実施例に限られるものではなく、各構成要件の具体的構成は適宜設計し得るものである。
【図面の簡単な説明】
【００５２】
【図１】本実施例に係るリング状巻線型インダクタの説明斜視図である。
【図２】本実施例の別例１を示す説明斜視図である。
【図３】本実施例の別例２を示す説明側断面図である。
【図４】本実施例の別例２を示す説明平面図である。
【図５】本実施例の別例３を示す説明側断面図である。
【図６】本実施例の別例３を示す説明平面図である。
【図７】本実施例の減衰特性比較試験方法を示す説明図である。
【図８】本実施例の減衰特性比較試験方法を示す説明図である。
【図９】本実施例の減衰特性比較試験結果を示す説明図である。
【図１０】本実施例の減衰特性比較試験結果を示す説明図である。
【符号の説明】
【００５３】
１  トロイダルコア
２  導線
３  リング孔
【図１】
2008277566.tif 000003
【図２】
2008277566.tif 000004
【図３】
2008277566.tif 000005
【図４】
2008277566.tif 000006
【図５】
2008277566.tif 000007
【図６】
2008277566.tif 000008
【図７】
2008277566.tif 000009
【図８】
2008277566.tif 000010
【図９】
2008277566.tif 000011
【図１０】
2008277566.tif 000012